(57)【要約】【課題】床の厚さの変化に容易に対応することが可能な外枠の固定構造を提供する。【解決手段】外枠は鍔部と案内溝とを有し、外枠に、外枠を床に固定する固定装置６が設けられ、固定装置６は、案内溝に案内されて移動自在な取付部材２４と、取付部材２４に設けられた回動自在な固定部材２５とを有し、取付部材２４に取付孔２６が形成され、固定部材２５は、取付孔２６に挿入される挿入部２８と、取付孔２６から脱落するのを阻止する抜止部３１とを有し、鍔部と床の下方に回動した固定部材２５との間に床が挟まれることによって外枠が床に固定され、取付部材２４は、取付部本体３４と、取付部本体３４に着脱自在な分割体３５とを有し、取付孔２６の一部分５５が取付部本体３４によって形成され、取付孔２６の残りの部分５６が分割体３５によって形成され、分割体３５を取付部本体３４から取り外した場合、取付孔２６の周方向における一部が開放される。【選択図】図８
2020076215.tif 000002
【特許請求の範囲】
【請求項１】
床の開口部に嵌め込まれる外枠の固定構造であって、
外枠は、上部に、開口部の周りの床の上面に当接する鍔部を有するとともに、下部に、案内溝を有し、
外枠の下部に、外枠を床に固定する固定装置が設けられ、
固定装置は、外枠に支持されるとともに案内溝に案内されて案内溝の長手方向に移動自在な取付部材と、取付部材に設けられた固定部材とを有し、
取付部材に、上下方向に貫通する取付孔が形成され、
固定部材は、取付孔に挿入される挿入部と、取付孔から脱落するのを阻止する抜止部とを有し、且つ、挿入部を中心にして開口部内と床の下方との間を回動自在であり、
鍔部と床の下方に回動した固定部材との間に床が挟まれることによって外枠が床に固定され、
取付部材は、取付部本体と、取付部本体に着脱自在な分割体とを有し、
取付孔の周方向における一部分が取付部本体によって形成され、
取付孔の周方向における残りの部分が分割体によって形成され、
分割体を取付部本体から取り外した場合、取付孔の周方向における一部が開放されることを特徴とする外枠の固定構造。
【請求項２】
固定部材の挿入部は、取付部材から垂下されているとともに、鉛直方向に対して所定の傾斜角度で傾斜していることを特徴とする外枠の固定構造。
【請求項３】
取付部本体は一側面が開放された中空部を有し、
分割体は中空部に差し込まれることによって取付部本体内に装着されることを特徴とする請求項１又は請求項２に記載の外枠の固定構造。
【請求項４】
取付部本体は案内溝に挿入される係合片を有し、
案内溝の側壁に係合孔が形成され、
係合片が係合孔に係合することにより、取付部材が外枠の所定箇所に固定されることを特徴とする請求項１から請求項３のいずれか１項に記載の外枠の固定構造。
【発明の詳細な説明】
【技術分野】
【０００１】
本発明は、例えば床下点検口等に用いられる外枠の固定構造に関する。
【背景技術】
【０００２】
従来、この種の外枠の固定構造としては、例えば図２５，図２６に示すように、床下点検口１０１に用いられる外枠１０２の固定構造が挙げられる。すなわち、外枠１０２は床１０３に形成された開口部１０４に嵌め込まれている。また、外枠１０２は、上端部に、開口部１０４の周りの床１０３の上面に当接する鍔部１０５を有するとともに、下部に、係合用溝１０６を有している。
【０００３】
外枠１０２の下部には、外枠１０２を床１０３に固定する固定装置１０７が設けられている。固定装置１０７は、係合用溝１０６に係合して外枠１０２に支持される取付部材１０８と、取付部材１０８に設けられた固定部材１０９とを有している。
【０００４】
取付部材１０８には、上下方向に貫通する取付孔１１０が形成されている。
固定部材１０９は、細長い丸棒状の線材を屈曲したものであって、取付孔１１０に挿入される挿入部１１１を有しており、挿入部１１１を中心にして開口部１０４内と床１０３の下方との間を回動自在である。
【０００５】
鍔部１０５と床１０３の下方に回動した固定部材１０９との間に床１０３が挟まれることによって、外枠が床１０３に固定されている。
【０００６】
尚、このような外枠１０２の固定構造については例えば下記特許文献１に記載されている。
【０００７】
また、上記のような外枠１０２の固定構造において、固定部材１０９が取付孔１１０から下方に脱落するのを防止するために、固定部材１０９の基端部に抜止部１１２が形成されている。抜止部１１２は、固定部材１０９の基端部を平坦に加工して形成され、固定部材１０９の直径Ｆよりも大きな幅Ｇを有する。
【０００８】
これによると、挿入部１１１を中心にして、固定部材１０９を開口部１０４内から床１０３の下方へ回動することにより、鍔部１０５と固定部材１０９の遊端部１１３との間に床１０３が挟まれて、外枠１０２が床１０３に固定される。
【先行技術文献】
【特許文献】
【０００９】
【特許文献１】特開２００１−３４９０５０
【発明の概要】
【発明が解決しようとする課題】
【００１０】
しかしながら上記の従来形式では、図２５に示すように、床１０３の厚さＴが一定の範囲を超えて薄かったり或いは分厚い場合、鍔部１０５と固定部材１０９の遊端部１１３とで床１０３を最適な力で挟むことができず、外枠１０２を床１０３に十分に固定できなかったり、或いは固定部材１０９が過剰に変形して、固定部材１０９や取付部材１０８が損傷する虞がある。
【００１１】
このため、床１０３の厚さＴが変わった場合、これに応じて、固定部材１０９の大きさを変える必要があるが、固定部材１０９を取付部材１０８から取り外して固定部材１０９のみを取り換えることは困難であり、固定装置１０７一式を取り換える必要がある。従って、床１０３の厚さＴに応じて複数種類の固定装置１０７を用意しておく必要があり、床１０３の厚さＴの変化に容易に対応することができなかった。
【００１２】
本発明は、床の厚さの変化に容易に対応することが可能な外枠の固定構造を提供することを目的とする。
【課題を解決するための手段】
【００１３】
上記目的を達成するために、本第１発明は、床の開口部に嵌め込まれる外枠の固定構造であって、
外枠は、上部に、開口部の周りの床の上面に当接する鍔部を有するとともに、下部に、案内溝を有し、
外枠の下部に、外枠を床に固定する固定装置が設けられ、
固定装置は、外枠に支持されるとともに案内溝に案内されて案内溝の長手方向に移動自在な取付部材と、取付部材に設けられた固定部材とを有し、
取付部材に、上下方向に貫通する取付孔が形成され、
固定部材は、取付孔に挿入される挿入部と、取付孔から脱落するのを阻止する抜止部とを有し、且つ、挿入部を中心にして開口部内と床の下方との間を回動自在であり、
鍔部と床の下方に回動した固定部材との間に床が挟まれることによって外枠が床に固定され、
取付部材は、取付部本体と、取付部本体に着脱自在な分割体とを有し、
取付孔の周方向における一部分が取付部本体によって形成され、
取付孔の周方向における残りの部分が分割体によって形成され、
分割体を取付部本体から取り外した場合、取付孔の周方向における一部が開放されるものである。
【００１４】
これによると、固定部材を大きさの異なった別の固定部材に取り換える場合、分割体を取付部本体から取り外して、取付孔の周方向における一部を開放する。この状態で、固定部材の挿入部を取付部本体の取付孔の一部分から離脱させた後、上記別の固定部材の挿入部を取付部本体の取付孔の一部分に嵌め込み、分割体を取付部本体に装着する。
【００１５】
これにより、取付部本体の取付孔の一部分と分割体の取付孔の残りの部分とが合体して取付孔が形成され、別の固定部材の挿入部が取付孔に挿入される。このため、取付部材はそのままで、床の厚さの変化に応じて、固定部材を大きさの異なった別の固定部材に容易に交換することができる。これにより、床の厚さの変化に容易に対応することが可能である。
【００１６】
本第２発明における外枠の固定構造は、固定部材の挿入部は、取付部材から垂下されているとともに、鉛直方向に対して所定の傾斜角度で傾斜しているものである。
【００１７】
これによると、挿入部を中心にして固定部材を開口部内から床の下方へ回動した場合、固定部材の遊端部が次第に上昇して床の下面に強く当接するため、床が外枠の鍔部と固定部材の遊端部との間で強く挟まれ、これにより、外枠が床にしっかりと固定される。
【００１８】
本第３発明における外枠の固定構造は、取付部本体は一側面が開放された中空部を有し、
分割体は中空部に差し込まれることによって取付部本体内に装着されるものである。
【００１９】
これによると、分割体を容易に取付部本体に着脱することができる。
【００２０】
本第４発明における外枠の固定構造は、取付部本体は案内溝に挿入される係合片を有し、
案内溝の側壁に係合孔が形成され、
係合片が係合孔に係合することにより、取付部材が外枠の所定箇所に固定されるものである。
【００２１】
これによると、係合片を案内溝に挿入し、取付部材を、案内溝の長手方向へ、係合孔の形成箇所までスライドさせる。その後、係合片を係合孔に係合することにより、取付部材を外枠の所定箇所に容易に固定することができる。
【発明の効果】
【００２２】
以上のように本発明によると、床の厚さの変化に容易に対応することが可能である。
【図面の簡単な説明】
【００２３】
【図１】本発明の第１の実施の形態における床下点検口の外枠の固定構造を示す断面図である。
【図２】同、外枠の断面図である。
【図３】同、外枠の一部拡大底面図であり、外枠に固定装置を取り付けた様子を示す。
【図４】同、外枠の一部切欠き底面図であり、外枠に固定装置を固定したときの係合片の向きを示す。
【図５】同、外枠の固定装置の上からの斜視図である。
【図６】同、外枠の固定装置の上からの分解斜視図である。
【図７】同、外枠の固定装置の上からの一部切欠き斜視図である。
【図８】同、外枠の固定装置の上からの一部切欠き分解斜視図である。
【図９】同、外枠の固定装置の下からの斜視図である。
【図１０】同、外枠の固定装置の下からの分解斜視図である。
【図１１】図５におけるＸ−Ｘ矢視図である。
【図１２】同、外枠の一部切欠き底面図であり、外枠に沿って固定装置をスライドさせるときの係合片の向きを示す。
【図１３】同、外枠の固定装置の取付部材の一部切欠き斜視図である。
【図１４】同、外枠の固定装置の取付部材の底面図である。
【図１５】同、外枠の固定装置の取付部材の底面図であり、分割体を取付部本体から取り外した様子を示す。
【図１６】図６におけるＸ−Ｘ矢視図である。
【図１７】図６におけるＹ−Ｙ矢視図である。
【図１８】同、床下点検口の外枠の固定構造を示す断面図であり、挿入部の長さが異なった別の固定部材に交換した様子を示す。
【図１９】本発明の第２の実施の形態における固定装置の取付部材の一部切欠き斜視図である。
【図２０】同、固定装置の取付部材の底面図である。
【図２１】同、固定装置の上からの一部切欠き分解斜視図である。
【図２２】同、固定装置の下からの分解斜視図である。
【図２３】図２２におけるＸ−Ｘ矢視図である。
【図２４】図２１におけるＸ−Ｘ矢視図である。
【図２５】従来の床下点検口の外枠の固定構造を示す断面図である。
【図２６】同、外枠の固定装置の斜視図である。
【発明を実施するための形態】
【００２４】
以下、本発明における実施の形態を、図面を参照して説明する。
【００２５】
（第１の実施の形態）
第１の実施の形態では、図１〜図４に示すように、１は床下点検口であり、この床下点検口１は、床２に形成された四角形の開口部３と、開口部３に嵌め込まれた外枠４と、開口部３を開閉する蓋５と、外枠４を床２に固定する複数の固定装置６とを有している。
【００２６】
床２は、パーチクルボード９と、パーチクルボード９上に設けられた集積材１０とを有している。
【００２７】
外枠４は、４つの辺を備えた四角形の枠であり、開口部３の内周面に沿って立ち上がる立壁部１２と、立壁部１２の上端から外側に向いて連設されて開口部３の周囲の床２の上面に当接する鍔部１３と、立壁部１２の下部から内側に向いて連設された受け部１４とを有している。蓋５は外枠４内に嵌められて受け部１４に受けられている。
【００２８】
外枠４の下端部には、案内溝１６が全周にわたり形成されている。案内溝１６は下側が開放されており、案内溝１６の開口部１７の幅Ｗ１が案内溝１６の内部の幅Ｗ２よりも小さく設定されている。また、案内溝１６は幅方向において相対向する内外一対の側壁１９，２０を有している。案内溝１６の長手方向Ａの複数の所定箇所における外側壁１９には係合孔２２が形成されている。
【００２９】
図４〜図１０に示すように、固定装置６は、案内溝１６を利用して、外枠４の下端部に着脱自在に取り付けられている。このような固定装置６は、外枠４に支持されるとともに案内溝１６に案内されて案内溝１６の長手方向Ａに移動自在な取付部材２４と、取付部材２４に設けられた固定部材２５とを有している。
【００３０】
図７，図１３，図１４に示すように、取付部材２４には、上下方向に貫通する取付孔２６が形成されている。
【００３１】
固定部材２５は、細長い丸棒状の線材であり、取付孔２６に挿入される挿入部２８と、上向きに折り曲げられた先端部２９（遊端部）と、挿入部２８の下端と先端部２９の下端とを繋ぐ横腕部３０と、取付孔２６から脱落するのを阻止する抜止部３１とを有しており、挿入部２８を中心にして開口部３内と床２の下方との間を回動自在である。
【００３２】
尚、図６，図１０に示すように、抜止部３１は、固定部材２５の基端部を平坦に加工して形成され、固定部材２５の直径Ｆよりも大きな幅Ｇを有する。
【００３３】
図１の実線および図３の実線に示すように、鍔部１３と床２の下方に回動した固定部材２５との間に床２が挟まれることによって外枠４が床２に固定されている。尚、図１１に示すように、固定部材２５の挿入部２８は、取付部材２４から垂下されているとともに、鉛直方向に対して所定の傾斜角度Ｂ（例えば約１５°）で傾斜している。
【００３４】
取付部材２４は、取付部本体３４と、取付部本体３４に着脱自在な分割体３５とを有している。取付部本体３４は、基板３７と、基板３７の下側に一体的に設けられた保持体３８と、基板３７の上側に一体的に設けられた係合片３９とを有している。
【００３５】
保持体３８は、前後一対の端壁４２と、側壁４３と、底壁４４と、一側面が開放され且つ他側面が側壁４３で閉塞された中空部４５とを有している。側壁４３には、中空部４５内に突出する突部４６が設けられている。
【００３６】
図５に示すように、係合片３９の長さＣは幅Ｄよりも長く形成されており、図１２に示すように、係合片３９の長手方向Ｅを案内溝１６の長手方向Ａと同方向にすることにより、係合片３９は開口部１７を通じて案内溝１６に挿脱可能となる。また、係合片３９を案内溝１６内に挿入した状態で、取付部本体３４を９０°回し、図１，図４に示すように、係合片３９の長手方向Ｅを案内溝１６の長手方向Ａと直交させることにより、係合片３９の先端部３９ａが案内溝１６の係合孔２２に係合する。
【００３７】
分割体３５は、上板４９と、下板５０と、上板４９と下板５０との間に設けられた側板５１とを有しており、中空部４５に差し込まれることによって取付部本体３４内に装着される。
【００３８】
図８，図１０，図１３〜図１７に示すように、取付孔２６の周方向における一部分５５（以下、取付孔２６の一部分５５と記載する）が取付部本体３４によって形成されている。すなわち、取付孔２６の一部分５５は、Ｕ形状の切欠きであり、保持体３８の底壁４４と突部４６とに形成され、上下方向に貫通しているとともに、中空部４５と同様に一側面が開放されている。尚、図１６に示すように、取付孔２６の一部分５５の中心を通る中心軸は鉛直方向に対して所定の傾斜角度Ｂで傾斜している。
【００３９】
また、取付孔２６の周方向における残りの部分５６（以下、取付孔２６の残り部分５６と記載する）が分割体３５によって形成されている。すなわち、取付孔２６の残り部分５６は、Ｕ形状の切欠きであり、分割体３５の上板４９と下板５０とに形成され、上下方向に貫通しているとともに、取付孔２６の一部分５５とは反対に、他側面が開放されている。尚、図１７に示すように、取付孔２６の残り部分５６の中心を通る中心軸は鉛直方向に対して所定の傾斜角度Ｂで傾斜している。
【００４０】
これにより、分割体３５を取付部本体３４から取り外した場合、取付孔２６の周方向における一部が開放される。
【００４１】
以下、上記構成における作用を説明する。
【００４２】
図１２に示すように、固定装置６の係合片３９の長手方向Ｅを案内溝１６の長手方向Ａと同方向にして、係合片３９を案内溝１６に挿入し、取付部材２４を、案内溝１６の長手方向Ａへ、係合孔２２の形成箇所までスライドさせる。その後、図１，図４に示すように、取付部材２４を９０°回し、係合片３９の長手方向Ｅを案内溝１６の長手方向Ａと直交させることにより、係合片３９の先端部３９ａが案内溝１６の係合孔２２に係合する。これにより、固定装置６が外枠４の所定箇所に容易に装着されて固定される。
【００４３】
その後、図１の実線および図３の実線で示すように、挿入部２８を中心にして固定部材２５を開口部１７内から床２の下方へ回動することにより、挿入部２８の傾斜角度Ｂに応じて、固定部材２５の先端部２９が次第に上昇して床２の下面に強く当接するため、床２が外枠４の鍔部１３と固定部材２５の先端部２９との間で強く挟まれ、これにより、外枠４が床２にしっかりと固定される。
また、図１の仮想線および図３の仮想線で示すように、外枠４に固定された固定装置６の挿入部２８を中心にして固定部材２５を床２の下方から開口部１７内へ回動し、図１２に示すように、取付部材２４を９０°回して係合片３９の長手方向Ｅを案内溝１６の長手方向Ａと同方向にし、係合片３９を案内溝１６内から下方へ離脱させることにより、固定装置６を外枠４から容易に取り外すことができる。
【００４４】
また、固定部材２５を挿入部２８の長さが異なった別の固定部材６０（図１８参照）に取り換える場合、固定装置６を外枠４から取り外した状態で、図６，図８，図１０に示すように、分割体３５を取付部本体３４の中空部４５から離脱させることにより、分割体３５を容易に取付部本体３４から取り外すことができ、取付孔２６の周方向における一部が開放される。この状態で、固定部材２５の挿入部２８を取付部本体３４の取付孔２６の一部分５５から離脱させた後、別の固定部材６０（図１８参照）の挿入部２８を取付部本体３４の取付孔２６の一部分５５に嵌め込み、分割体３５を取付部本体３４の中空部４５に差し込む。これにより、分割体３５を取付部本体３４に容易に装着することができ、取付部本体３４の取付孔２６の一部分５５と分割体３５の取付孔２６の残りの部分５６とが上下に重なって合体することで取付孔２６が形成され、別の固定部材６０の挿入部２８が取付孔２６に挿入される。
【００４５】
このため、図１８に示すように、取付部材２４はそのままで、床２の厚さＴの変化に応じて、固定部材２５を挿入部２８の長さが異なった別の固定部材６０に容易に交換することができる。これにより、床２の厚さＴの変化に容易に対応することが可能である。
【００４６】
尚、床２の厚さＴが増大した場合、挿入部２８が長い固定部材６０に交換し、床２の厚さＴが薄い場合、挿入部２８が短い固定部材２５に交換すればよい。
【００４７】
上記第１の実施の形態では、図１，図１８に示すように、固定部材２５を挿入部２８の長さが異なった別の固定部材６０に交換する例を挙げたが、挿入部２８の長さが異なっている固定部材２５，６０に限定されるものではなく、先端部２９の長さや横腕部３０の長さが異なっている固定部材に交換してもよい。
【００４８】
（第２の実施の形態）
第２の実施の形態では、図１９〜図２４に示すように、取付部材２４には、上下方向に貫通する２個（複数個）の取付孔２６，７０が形成されている。
【００４９】
これら第１および第２の取付孔２６，７０の周方向における一部分５５，７１（以下、第１および第２の取付孔２６，７０の一部分５５，７１と記載する）が取付部本体３４によって形成されている。すなわち、第１および第２の取付孔２６，７０の一部分５５，７１はそれぞれ、Ｕ形状の切欠きであり、保持体３８の底壁４４と突部４６とに形成され、上下方向に貫通しているとともに、中空部４５と同様に一側面が開放されている。
【００５０】
尚、第１の取付孔２６の一部分５５の中心を通る中心軸は第１の実施の形態と同様に鉛直方向に対して所定の傾斜角度Ｂで傾斜しており、第２の取付孔７０の一部分７１の中心を通る中心軸は上記所定の傾斜角度Ｂとは異なった別の傾斜角度Ｊで傾斜している。
【００５１】
また、第１および第２の取付孔２６，７０の周方向における残りの部分５６，７２（以下、第１および第２の取付孔２６，７０の残り部分５６，７２と記載する）が分割体３５によって形成されている。すなわち、第１および第２の取付孔２６，７０の残り部分５６，７２は、Ｕ形状の切欠きであり、分割体３５の上板４９と下板５０とに形成され、上下方向に貫通しているとともに、取付孔２６，７０の一部分５５，７１とは反対に、他側面が開放されている。
【００５２】
尚、第１の取付孔２６の残り部分５６の中心を通る中心軸は第１の実施の形態と同様に鉛直方向に対して所定の傾斜角度Ｂで傾斜しており、第２の取付孔７０の残り部分７２の中心を通る中心軸は上記所定の傾斜角度Ｂとは異なった別の傾斜角度Ｊで傾斜している。
【００５３】
これにより、分割体３５を取付部本体３４から取り外した場合、第１および第２の取付孔２６，７０の周方向における一部が開放される。
【００５４】
以下、上記構成における作用を説明する。
【００５５】
取付部材２４の取付部本体３４に分割体３５を着脱して、固定部材２５の挿入部２８を第１の取付孔２６に挿入することにより、挿入部２８を所定の傾斜角度Ｂに傾斜させた状態で、固定部材２５を取付部材２４に取り付けることができる。
【００５６】
また、取付部本体３４に分割体３５を着脱して、固定部材２５の挿入部２８を第２の取付孔７０に挿入することにより、挿入部２８を別の傾斜角度Ｊに傾斜させた状態で、固定部材２５を取付部材２４に取り付けることができる。
【００５７】
これにより、固定部材２５を異なる２種類の傾斜角度Ｂ，Ｊで取付部材２４に取り付けることができるため、床２の厚さＴ等に応じて、最適な角度で固定部材２５を取り付けることができる。
【００５８】
上記第２の実施の形態では、図１９，図２０に示すように、傾斜角度Ｂ，Ｊの異なった２個の取付孔２６，７０を取付部材２４に形成しているが、傾斜角度の異なった３個以上の取付孔を形成してもよい。
【００５９】
上記各実施の形態では、図１に示すように、床下点検口１の開口部３に嵌め込まれた外枠４を複数の固定装置６で固定する固定構造を示したが、床下点検口１に限定されるものではなく、例えば床下収納庫等の開口部に嵌め込まれた外枠を複数の固定装置６で固定する固定構造であってもよい。
【符号の説明】
【００６０】
２          床
３          開口部
４          外枠
６          固定装置
１３        鍔部
１６        案内溝
１９        側壁
２２        係合孔
２４        取付部材
２５        固定部材
２６        取付孔，第１の取付孔
２８        挿入部
３１        抜止部
３４        取付部本体
３５        分割体
３９        係合片
４５        中空部
５５        取付孔の周方向における一部分
５６        取付孔の周方向における残りの部分
６０        別の固定部材
７０        第２の取付孔
７１        取付孔の周方向における一部分
７２        取付孔の周方向における残りの部分
Ａ          案内溝の長手方向
Ｂ          所定の傾斜角度
Ｊ          別の傾斜角度
【図１】
2020076215.tif 000003
【図２】
2020076215.tif 000004
【図３】
2020076215.tif 000005
【図４】
2020076215.tif 000006
【図５】
2020076215.tif 000007
【図６】
2020076215.tif 000008
【図７】
2020076215.tif 000009
【図８】
2020076215.tif 000010
【図９】
2020076215.tif 000011
【図１０】
2020076215.tif 000012
【図１１】
2020076215.tif 000013
【図１２】
2020076215.tif 000014
【図１３】
2020076215.tif 000015
【図１４】
2020076215.tif 000016
【図１５】
2020076215.tif 000017
【図１６】
2020076215.tif 000018
【図１７】
2020076215.tif 000019
【図１８】
2020076215.tif 000020
【図１９】
2020076215.tif 000021
【図２０】
2020076215.tif 000022
【図２１】
2020076215.tif 000023
【図２２】
2020076215.tif 000024
【図２３】
2020076215.tif 000025
【図２４】
2020076215.tif 000026
【図２５】
2020076215.tif 000027
【図２６】
2020076215.tif 000028